(57)【要約】【課題】軟性または脆弱な材料で形成された多角形のベゼルが搭載された中間部品を含む時計を提供する。【解決手段】本発明は、第１の材料で形成された多角形のベゼル（１６）を受容するようにされた上面（３２）を有する中間部品（１２）を備える時計に関する。ベゼル（１６）の角部を切り落とし、中間部品（１２）には、第２の材料で形成された角部要素（４０ａ、ｂ、ｃ、ｄ）をその上面（３２）に固定して配置することで、それを、前記ベゼル（１６）を中間部品（１２）に取り付け、ベゼル（１６）の切り落とされた角部の代替となるように配置する。【選択図】図１
2008185589.tif 000002
【特許請求の範囲】
【請求項１】
第１の材料で形成された多角形のベゼル（１６）を受容するよう形成された上面（３２）を有する中間部品（１２）を備えた時計であって、前記ベゼル（１６）は、その角部を切り落とした形状てある一方、前記中間部品（１２）は、前記ベゼル（１６）を前記中間部品（１２）に取り付けたとき、前記ベゼルの切り落とされた角部の代替となるように、第２の材料で形成された角部要素（４０ａ、ｂ、ｃ、ｄ）が前記上面（３２）に固定して取り付けられていることにより配置したことを特徴とする時計。
【請求項２】
前記第２の材料が前記第１の材料より衝撃または磨耗に対する耐性が高いことを特徴とする請求項１に記載の時計。
【請求項３】
前記第１の材料が非金属であり、前記第２の材料が金属製である請求項１および２のいずれかに記載の時計。
【請求項４】
前記角部要素（４０ａ、ｂ、ｃ、ｄ）が中間部品（１２）と一体構造となっていることを特徴とする請求項１に記載の時計
【請求項５】
前記角部要素（４０ａ、ｂ、ｃ、ｄ）は、前記中間部品（１２）の上面を機械加工することによって得ることを特徴とする請求項２に記載の時計。
【請求項６】
前記角部要素（４０ａ、ｂ、ｃ、ｄ）を、中間部品（１２）に付加することを特徴とする請求項１に記載の時計。
【請求項７】
前記上面（３２）は、ベゼル（１６）を取り付ける略平坦な面（３４）を有し、前記角部要素（４０ａ、ｂ、ｃ、ｄ）は、前記平坦な面（３４）から突出していることを特徴とする請求項１から４のいずれかに記載の時計。
【発明の詳細な説明】
【技術分野】
【０００１】
本発明は、時計制作術の分野に関する。特に、軟性または脆弱な材料で形成された多角形のベゼルが搭載された中間部品を有する時計に関する。
【０００２】
「軟性の材料」とは、ビッカース硬度が３０ＨＶ未満の材料を意味し、例えば、木、一部のプラスチックや皮等が含まれる。「脆弱な材料」とは、塑性変形を起こさない材料、すなわちセラミック、石または真珠層などを意味する。より一般的には、軟性または脆弱な材料の群は実質金属以外の材料から形成される。
【０００３】
木材のような軟性材料からなる外装を備えた時計は、その、特に装飾的な外観が当業者に知られている。現存の実施形態では、そのケースは、全体を木製とするものか、もしくは、金属製の本体を木製カバーで覆ったものである。これらの実施形態についてのさらなる情報は特許出願Ｎｏ．ＤＥ２３３  ３０９およびＣＨ６６７  １７７に開示されている
【特許文献１】特許出願  ＤＥ２３３  ３０９
【特許文献２】特許出願  ＣＨ６６７  １１７
【発明の開示】
【発明が解決しようとする課題】
【０００４】
軟性材料で形成した外装の欠点の一つは、耐摩耗性が不足している点である。角部のような角部部品は、特に磨耗にさらされるため、現存の実施形態は角部を有する部品を含まず、丸みを帯びた形状となっている。よって、これらの時計は、円形や楕円形の形状に限られてしまう。
【０００５】
外装が脆弱な材料で形成された時計もまた周知である。軟性の材料とは違い、脆弱な材料は、通常耐磨耗性が高いが、角の部分が破損しやすい。このため、脆弱な材料からなる外装を有する時計でも、やはり円形や楕円形の形状が好ましい。
本発明の目的は、これらの制限を克服し、角部が耐磨耗性を有し、かつ耐衝撃性を有する軟性または脆弱な材料からなる多角形のベゼルを嵌合した時計を提案することにある。
【課題を解決するための手段】
【０００６】
本発明は、第１の材料で形成された多角形のベゼルを受容するように形成された上面を有する中間部品を備えた時計であって、ベゼルの角部を切り落としてあり、ベゼルを中間部品に取り付けるとき、ベゼルの切り落とした角部の代替となるように、中間部品には、第２の材料で形成された角部要素をその上面に固定して取り付けることにより形成したことを特徴とする。
【０００７】
さらに本発明の実施態様によると、第２の材料が第１の材料よりさらに衝撃または磨耗に対する耐性が高いことを特徴とする。
【発明の効果】
【０００８】
角部要素が耐衝撃または耐磨耗性を有する材料から形成されて、多角形のベゼルの角部の代替となるように形成されていることにより、このようなベゼルの主要な欠点であった角部の磨耗や破損が大幅に低減する。
【発明を実施するための最良の形態】
【０００９】
図１、図２、図３に示す時計は、従来と同様、中間部品１２を備えるケース１０と、背面カバー１４と、ベゼル１６とを備える。中間部品１２は背面カバー１４とともに、ムーヴメント２０を収容するハウジング１８を形成する。ムーヴメント２０は、機械式または図示しないバッテリーによって駆動される電気機械式のいずれでもよい。この時計は、さらに、中間部品１２に取り付けたクリスタル２２と、ムーヴメント２０とクリスタル２２の間に挿入された文字板２４と、ムーヴメント２０に動くように結合した針２６、２８のような指示時間表示手段を備える。中間部品１２の側面に位置し、巻心に固定された竜頭３０は、ぜんまい巻上げや指示時間修正のためのものである。
【００１０】
中間部品１２、背面カバー１４、ベゼル１６は、略矩形形状である。あるいは、中間部品１２、背面カバー１４、ベゼル１６は、例えば、長方形、六角形、三角形などのような多角形でもよい。中間部品１２と背面カバー１４は、磨耗と衝撃に対して高い耐性を示す材料、典型的には鋼のような金属で形成する。ベゼルは、装飾的な効果を提供可能な軟性または脆弱な材料、例えば木、セラミック、真珠層、他の非金属材料で形成する。
【００１１】
中間部品１２は、クリスタル２２を取り付ける段部３８を形成する内側縁３６によって区画された、略平坦な面３４によって形成された上面３２を有する。当業者は、クリスタル２２と中間部品１２の間に密閉パッキンを挿入することによって耐水性を有するようにクリスタル２２を取り付けてもよい。上面３２は、さらに、面３４から突出し、その４つの角部に配置された４つの角部要素４０ａ、ｂ、ｃ、ｄを有する。この４つの要素４０ａ、ｂ、ｃ、ｄは、中間部品１２と一体組立体を形成している。これらは、上面３２を機械加工することによって、あるいは、中間部品１２を型押しすることによって形成することができる。あるいは、要素４０ａ、ｂ、ｃ、ｄは、ろう付け、溶接、接着あるいは螺着によって取り付けることも可能である。
【００１２】
ベゼル１６は、縁部３６を介して上面３２上に配置され、４本のネジで中間部品１２に取り付けられ、面３４に押圧されている。あるいは、ベゼル１６を面３４に接着してもよい。ベゼル１６の４つの角部は、中間部品１２の上面３２上に置かれたときに角部要素４０ａ、ｂ、ｃ、ｄがその４つの角部の代替となるように切り落とされている。この構成により、ベゼル１６の角部が磨耗または衝撃によって破損することを防ぐことができる。
【００１３】
以上、角部が高い耐摩耗性と耐衝撃性を有する多角形のベゼルを備えた時計について説明したが、本発明が上記の実施の形態に限らず、添付の請求の範囲に記載の本発明の範囲にもとることなく、様々の単純な改変や変更が可能であることは当業者には明らかであろう。
【図面の簡単な説明】
【００１４】
【図１】図１は、本発明による時計の斜視図である。
【図２】図２は、第１の軸ＡＡに沿って切ったケースの断面図である。
【図３】図３は、第２の軸ＢＢに沿って切ったケースの断面図である。
【符号の説明】
【００１５】
１０  ケース、１２  中間部品、１４  背面カバー、１６  ベゼル、１８  ハウジング、２０  ムーヴメント、２２  クリスタル、３０  竜頭、４０ａ，ｂ，ｃ，ｄ  角部要素
【図１】
2008185589.tif 000003
【図２】
2008185589.tif 000004
【図３】
2008185589.tif 000005